(57)【特許請求の範囲】
【請求項１】
耳に係止される本体と、前記本体に取り付けられ耳から顔の前方向に向かって突出する保持部材が設けられ、前記本体と前記保持部材には装飾体が取り付けられている耳掛け型装飾具であって、
前記本体は、使用者の耳の後側の付け根に沿うＣ字状に形成され、前記Ｃ字状の湾曲の外側に位置する側縁部には、溝が本体の長手方向に沿って形成されていることを特徴とする耳掛け型装飾具。
【請求項２】
前記本体は、使用者が装着した状態で下側に位置する下端部に透孔が形成され、反対側の上端部には前記保持部材が設けられ、前記透孔と前記保持部材には装飾体が着脱可能に取り付けられている請求項１記載の耳掛け型装飾具。
【請求項３】
前記本体には、使用者の耳の穴に差し込んで係止する耳栓部が設けられている請求項１記載の耳掛け型装飾具。
【請求項４】
前記保持部材には前記装飾体を取り付ける透孔が設けられている請求項１記載の耳掛け型装飾具。
【請求項５】
前記保持部材は棒状であり、前記保持部材には長手方向に沿ってスリットが設けられ、前記スリットには前記スリットの長手方向に摺動可能で任意の位置に係止される吊り下げ治具が設けられ、前記装飾体は前記吊り下げ治具に連結されて前記保持部材に摺動可能に取り付けられている請求項１記載の耳掛け型装飾具。
【発明の詳細な説明】
【技術分野】
【０００１】
この発明は、耳に装着して顔の横に装飾体を飾る耳掛け型装飾具に関する。
【背景技術】
【０００２】
従来、耳に装着して使用される装飾具は、耳朶等に孔を開けて装着するピアスや、耳朶を挟み付けて装着するクリップ式のイヤリング等がある。その他、より大きな装飾を付けるものとして、耳の付け根にＣ字形の固定具を取り付けて飾る装飾具もある。
【０００３】
例えば、特許文献１の耳飾りの場合、耳の付け根に沿って装着されるＣ字状をなす支持部が設けられ、この支持部の両端部に装飾体が取り付けられている。この耳飾りによれば、簡単に装着することができ、耳の形状にフィットして使用中に脱落するおそれがない。
【０００４】
また、装飾具とイヤホンを兼ねるものもある。特許文献２の装飾物を備えるイヤーラップヘッドホンまたはヘッドセットは、耳の周りへの装着に適した湾曲体であり、イヤホンまたはイヤホンコネクタ、及び装飾体を接続するための湾曲体からの延長部が設けられている。
【先行技術文献】
【特許文献】
【０００５】
【特許文献１】特開２０１０−１９３９４２号公報
【特許文献２】特表２００７−５２０１２５号公報
【発明の概要】
【発明が解決しようとする課題】
【０００６】
上記背景技術の場合、装飾体の位置や角度が固定され、変更することができないものであり、個人の顔の輪郭や、髪形に合わせることができないものである。また、装飾体には市販のものや手作りのもの等を使用することは考えられておらず、オリジナル性のあるものではない。
【０００７】
この発明は、上記背景技術の問題点に鑑みてなされたものであり、顔の横付近に装飾体を飾ることができ、装飾体の位置や種類を変更することが可能であり、オリジナル性が高く、自由に飾ることができる耳掛け型装飾具を提供することを目的とする。
【課題を解決するための手段】
【０００８】
本発明は、耳に係止される本体と、前記本体に取り付けられ耳から顔の前方向に向かって突出する保持部材が設けられ、前記本体と前記保持部材には装飾体が取り付けられている耳掛け型装飾具である。
【０００９】
前記本体は、使用者の耳の後側の付け根に沿うＣ字状に形成され、使用者が装着した状態で下側に位置する下端部には透孔が形成され、反対側の上端部には前記保持部材が設けられ、前記透孔と前記保持部材には装飾体が着脱可能に取り付けられているものである。
【００１０】
前記本体には、使用者の耳の穴に差し込んで係止する耳栓部が設けられている。
【００１１】
前記本体の、Ｃ字状の湾曲の外側に位置する側縁部には、溝が本体の長手方向に沿って全長にわたって形成されている。
【００１２】
前記保持部材には前記装飾体を取り付ける透孔が設けられている。
【００１３】
前記保持部材には長手方向に沿ってスリットが設けられ、前記スリットには前記スリットの長手方向に摺動可能で任意の位置に係止される吊り下げ治具が設けられ、前記装飾体は前記吊り下げ治具に連結されて前記保持部材に摺動可能に取り付けられている。
【発明の効果】
【００１４】
本発明の耳掛け型装飾具は、顔の横付近に装飾体を飾ることができ、装飾体の位置や種類を変更することが可能であり、オリジナル性が高く、個人の顔の輪郭、髪形、服装、季節等に合わせて自由に飾ることができる。装飾体は、手作りのものや市販品を加工したものと交換可能であり、作る楽しみがあり、創造力が豊かになり、気分転換にもなる。イヤホンと兼用にしたり、マスクの紐をかけて装着したり、付加価値を有するものである。
【図面の簡単な説明】
【００１５】
【図１】この発明の第一実施形態の耳掛け型装飾具の表面から見た斜視図（ａ）と、裏面から見た斜視図（ｂ）である。
【図２】この発明の第一実施形態の使用状態を示す正面図である。
【図３】この発明の第一実施形態のその他の使用状態を示す正面図である。
【図４】この発明の第二実施形態の背面図（ａ）、保持部材の部分底面図（ｂ）である。
【図５】この発明の第二実施形態の吊り下げ治具がスリットに係止された状態を示す底面図（ａ）と、係止が解除された状態を示す底面図（ｂ）である。
【発明を実施するための形態】
【００１６】
以下、この発明の実施形態について図面に基づいて説明する。図１はこの発明の第一実施形態を示すもので、この実施形態の耳掛け型装飾具１０は左耳用であるが、右耳用は対称形状となる。この実施形態の耳掛け型装飾具１０は、金属製等のＣ字形の本体１２が設けられている。本体１２の、使用者が装着した状態で下側に位置する下端部１２ａには、後述する装飾体２８が取り付けられる透孔１４が形成されている。
【００１７】
本体１２の、反対側の上端部１２ｂには、棒状の保持部材１６が設けられている。保持部材１６は本体１２と同じ金属製等であり、長手方向の一方の端部１６ａが、本体１２の上端部１２ｂに回転可能に軸止され、本体１２の湾曲が位置する面方向に沿って、他方の端部１６ｂが移動する。保持部材１６の長さは、本体１２の下端部１２ａと上端部１２ｂの間隔とほぼ等しく、保持部材１６の端部１６ｂを本体１２の下端部１２ａに当接させて本体１２と保持部材１６を環状にして、保持部材１６を収容することができる。保持部材１６の、端部１６ｂに近い位置には、後述する装飾体３０，３２が取り付けられる透孔１８が２個、長手方向に所定間隔で並べられて設けられている。保持部材１６は、使用者が本体１２を装着した状態で水平となるように、図示しない係止構造が本体１２との間に設けられている。例えばバネを取り付けて所定角度で止まる構造や、凸部と凹部が嵌合されてクリック感を生じて止まる構造等でもよい。なお、水平以外の任意の角度でも段階的に止まるようにしても良い。
【００１８】
本体１２の上端部１２ｂには、本体１２の湾曲の内側に位置する側縁部に、耳の穴に差し込む耳栓部２０が設けられている。耳栓部２０は、耳穴を塞がない中空の短い円筒形状であり、本体１２の湾曲が位置する面方向に対して中心軸がほぼ直角に位置し、本体１２の湾曲が位置する面から一方向に突出して設けられている。耳栓部２０の内周面には直径方向に横断する板部２２が設けられ、補強されている。耳栓部２０の、本体１２の上端部１２ｂに固定された端面には、後述する装飾体３４が取り付けられる磁石２４が設けられている。なお、耳栓部２０はイヤホンでも良い。
【００１９】
本体１２は、湾曲の外側に位置する側縁部に、溝２６が形成されている。溝２６は、本体１２の長手方向に沿ってほぼ全長にわたって形成されている。溝２６の、長手方向に交差する断面形状は、後述するマスク３９の耳掛け用のゴムが挿通可能な深さと幅を有するものである。
【００２０】
本体１２の透孔１４と、保持部材１６の一対の透孔１８には、装飾体２８，３０，３２がリングやフック、紐体等で下垂して取り付けられている。ここでは、装飾体２８は球体を複数個連結したものであり、装飾体３０は星形、装飾体３２は倒立したハート形である。耳栓部２０の磁石２４には、本体１２を覆う大形の装飾体３４が取り付けられている。装飾体３４はここではハート形をした板体であり、板体の一方の面には、磁石２４に引き付けられる金属や磁石で作られた取付部材３６が設けられている。なお、各装飾体は適宜変更可能である。キャラクターや花など好みの絵柄でよく、立体的なものでも平面的なものでもよい。金属やプラスチックで作られた硬いものでも、布や毛糸で作られた柔らかいものでもよい。各装飾体は４個全部つけなくてもよく、任意の数を任意の位置に付ける。透孔１４，１８に下垂して取り付ける以外に、クリップなどで直接取り付けてもよく、針金のように自立する部材を利用して任意の方向に突出させてもよい。装飾体３４は、耳栓部２０の磁石２４に引き付けられる取付部材３６を取り付けることができるものであれば何でもよい。
【００２１】
次に耳掛け型装飾具１０の使用法について説明する。図２に示すように、保持部材１６を本体１２に対して所定の角度に係止させ、装飾体２８，３０，３２，３４を取り付ける。そして本体１２の湾曲部分が使用者の耳の後側の付け根に沿うように装着する。本体１２の上端部１２ｂは、耳の前側の上方の付け根に当接し、下端部１２ａは耳の前側の下方の付け根に当接し、確実に係止される。耳栓部２０は耳の穴に差し込まれ係止される。保持部材１６の端部１６ｂは、耳から離れて顔の前方向に略水平に突出し、顔の横に位置し、装飾体３０，３２は目の横付近に飾られる。装飾体３４は耳を覆って頭の横に位置して飾られる。装飾体２８は装飾体３４の下端部付近から下垂し、首の横に飾られる。マスク３９をする場合は、マスク３９のゴムを本体１２の溝２６に通して耳に掛ける。耳掛け型装飾具１０は、片方の耳にのみに装着してもよく、両耳に装着してもよい。
【００２２】
その他の使用方法として、図３に示すように、保持部材１６は装飾体３０，３２をつけず、端部１６ｂを本体１２の下端部１２ａに当接させて本体１２と保持部材１６を環状にして収容する。溝２６に髪止め用のシュシュ３８を取り付ける。これにより、シュシュ３８は耳を覆って頭の横に位置して飾られる。保持部材１６はシュシュ３８に隠れて見えなくなる。またシュシュ３８以外に、保温性を有する生地や毛皮にゴムを通して作られた図示しない防寒耳カバーを溝２６に取り付けてもよく、その他、コサージュや種々の装飾部材や機能部材を取り付けることができ、取付方法も適宜選択し得る。
【００２３】
なお、透孔１４付近などにボタン電池を内蔵することにより、本体１２や装飾体３０，３２，３４を光らせて飾ってもよい。ＬＥＤライトを取り付けて、実用的な照明としても良い。耳栓部２０にイヤホンを取り付けて携帯式の音楽プレーヤから音楽などを聞いてもよい。さらに、保持部材１６にマイクの機能を持たせてもよく、これにより携帯電話でハンズフリーの会話が可能となる。
【００２４】
この実施形態の耳掛け型装飾具１０によれば、顔の横付近に各装飾体を飾ることができ、各装飾体の位置や種類を変更することが可能であり、オリジナル性が高く、個人の顔の輪郭、髪形、服装、季節等に合わせて自由に飾ることができる。顔の横の、もみあげ付近に各装飾体を飾る新規なものであり、今までとは異なる華やかな印象となり、新しいファッションアイテムとして目新しいものである。各装飾体は、手作りのものや市販品を加工したものと交換可能であり、作る楽しみがあり、創造力が豊かになり、気分転換にもなる。耳掛け型装飾具１０には耳栓部２０が一体に設けられているため、耳の穴に係止され確実に取り付けることができる。耳栓部２０は円筒形状で耳の内外を連通する空間が設けられているため、装着しているときも音を聞くことができ、歩行や運転の際も安全である。耳栓部２０にイヤホンを取り付けて携帯式の音楽プレーヤから音楽などを聞くことができる。本体１２の溝２６に、マスク３９のゴム紐をかけることができ、マスク３９のゴム紐が耳の付け根に当たることがなく、痛みやかゆみがなく、快適にマスク３９を着用することができる。
【００２５】
次にこの発明の第二実施形態について図４、図５に基づいて説明する。なお、ここで、上記実施形態と同様の部材は同様の符号を付して説明を省略する。この実施形態の耳掛け型装飾具４０は左耳用であるが、右耳用は対称形状となる。この実施形態の耳掛け型装飾具４０は、Ｃ字形の本体１２の上端部１２ｂに、棒状の保持部材４２が設けられている。保持部材４２は本体１２と同じ金属製等であり、長手方向の一方の端部４２ａが、本体１２の上端部１２ｂに回転可能に軸支され、本体１２の湾曲が位置する面方向に沿って、他方の端部４２ｂが移動する。保持部材４２の長さは、本体１２の下端部１２ａと上端部１２ｂの間隔とほぼ等しい。
【００２６】
保持部材４２の底面には、図４（ｂ）に示すように、スリット４４が、保持部材４２のほぼ中心を通って長手方向に沿って、下方に向かって開口するように設けられている。スリット４４は、保持部材４２の全長にわたって、端部４２ａ近傍から端部４２ｂ近傍まで達する一定の幅の直線である。スリット４４の、端部４２ａ側の端部は、差込用大径部４６が連続して設けられている。差込用大径部４６は、スリット４４の両側縁部を、スリット４４の長手方向を長軸とする楕円形に切り欠いたものである。保持部材４２は、使用者が本体１２を使用者が装着した状態で水平となるように図示しない係止構造が本体１２との間に設けられ、さらに水平以外の任意の角度でも段階的に止まるようにしても良い。
【００２７】
保持部材４２のスリット４４には、装飾体３０，３２を取り付ける吊り下げ治具４８が設けられている。吊り下げ治具４８は、楕円形の板体５０が設けられている。板体５０は、保持部材４２の差込用大径部４６に挿通可能な形状であり、長軸と短軸の長さはいずれもスリット４４の幅よりも長く形成されている。板体５０の中心には、楕円形の突起部５２が一体に設けられている。突起部５２は、板体５０の表面から所定高さに立ち上がる側面と、板体５０に対して平行な天面を有している。突起部５２は、板体５０とは長軸と短軸の方向が一致し、突起部５２の長軸の長さは保持部材４２のスリット４４の幅とほぼ等しく、突起部５２の短軸はスリット４４の幅よりも少し短く形成されている。
【００２８】
吊り下げ治具４８の突起部５２には、円弧状の連結部材５４が取り付けられ、連結部材５４の両端部が突起部５２の側面で短軸に位置する２か所に連結されている。連結部材５４は、装飾体３０，３２が取り付けられるものである。
【００２９】
図４、図５は、保持部材４２の表面側から見た図である。吊り下げ治具４８は、板体５０が保持部材４２の裏面に位置し、スリット４４の側縁部裏面に重ねられ、表面側に落下することがない。また突起部５２はスリット４４を通過して保持部材４２の底面下方に突出し、連結部材５４がスリット４４の側縁部に係止され、落下することもない。保持部材４２の表面に突出した連結部材５４に、装飾体３０，３２が取り付けられている。
【００３０】
吊り下げ治具４８は、図５（ａ）に示すように、長軸をスリット４４の幅方向に一致させたとき、突起部５２の長軸方向の側面がスリット４４の側縁部の端面に当接し、嵌合されて係止される。これにより、スリット４４の任意の位置に係止される。また吊り下げ治具４８は、図５（ｂ）に示すように、長軸をスリット４４の長手方向に一致させたとき、係止が解除され、吊り下げ治具４８はスリット４４の内側を自由に摺動可能となる。板体５０は、短軸の長さがスリット４４の幅より長く形成され、短軸がスリット４４の幅方向に一致しても、スリット４４の側縁部の裏面に当接し、外側に抜け落ちることがない。
【００３１】
吊り下げ治具４８を保持部材４２から外す時は、吊り下げ治具４８を差込用大径部４６に移動させ、吊り下げ治具４８の長軸を差込用大径部４６の長軸に合わせ、板体５０を表面側に通過させて取り外す。
【００３２】
この実施形態の耳掛け型装飾具４０の使用方法と効果は、上記実施の形態と同様である。保持部材４２のスリット４４には、任意の数の吊り下げ治具４８が任意の位置で取り付けられるため、装飾体３０，３２の数や取り付け位置をより自由に選択することができる。吊り下げ治具４８はスリット４４に対して９０°回転させる簡単な操作で係止と解除を行うことができ、装飾体３０，３２の位置の微調整も容易である。
【００３３】
なお、この発明の耳掛け型装飾具は上記各実施形態に限定されず、本体の形状や透孔の位置、保持部材が取り付けられる位置など、適宜自由に変更可能である。例えば、図１に示す第一実施形態の耳掛け型装飾具１０の保持部材１６を、第二実施形態の保持部材４２にしても良い。本体と保持部材の素材は、金属以外でもよく、合成樹脂等でもよい。個人の耳の形に合わせて折り曲げられる柔軟なプラスチック、合金、ゴム等でもよい。装飾体を取り付ける方法は上記以外でもよく、マッジクテープや粘着テープ等確実に取り付けられ着脱可能なものであればよい。耳栓部の形状は、直径方向に板部が設けられた円筒形状以外でもよく、音が聞こえるものであれば、メッシュや螺旋状等にしてもよい。本体の形状は、確実に耳に取り付けられるものであれば良く、耳栓部が無くてもよい。
【符号の説明】
【００３４】
１０，４０  耳掛け型装飾具
１２  本体
１４，１８  透孔
１６，４２  保持部材
２０  耳栓部
２８，３０，３２，３４  装飾体
４４  スリット
４８  吊り下げ治具
【図１】
0006358709.tif 000002
【図２】
0006358709.tif 000003
【図３】
0006358709.tif 000004
【図４】
0006358709.tif 000005
【図５】
0006358709.tif 000006